(57)【要約】【課題】地中に存在する汚染土壌から発生した気体をこの汚染土壌中に封じ込めることができる気体の封止構造を提供する。【解決手段】周囲が不透水層に達した遮水壁１１によって囲まれている汚染土壌１０から発生した気体を土壌中に封止するための封止構造であって、汚染土壌１０の上部に設けたベントナイト混合土層１２と、ベントナイト混合土層の上部に設けられ水を滞留させた滞留水層１３と、滞留水層の上部に設けた非汚染土壌層１４と、を積層し、滞留水層１３に滞留した水がベントナイト混合土層１２に浸透して該ベントナイト混合土層１２に存在する空隙を封鎖することで透気係数を低下させて気体を封止する。【選択図】    図１
2016182583.tif 000002
【特許請求の範囲】
【請求項１】
周囲が不透水層に達した遮水壁によって囲まれている汚染土壌から発生した気体を土壌中に封止するための封止構造であって、
汚染土壌の上部に設けたベントナイト混合土層と、前記ベントナイト混合土層の上部に設けられ水を滞留させた滞留水層と、前記滞留水層の上部に設けた非汚染土壌層と、を積層して構成され、
前記滞留水層に滞留した水がベントナイト混合土層に浸透して該ベントナイト混合土層に存在する空隙を封鎖することで、該ベントナイト混合土層の透気係数を低下させて気体を封止することを特徴とする汚染土壌から発生した気体の封止構造。
【請求項２】
前記ベントナイト混合土層は、ベントナイトと礫砂の混合物を締固めて構成されていることを特徴とする請求項１に記載した汚染土壌から発生した気体の封止構造。
【請求項３】
前記滞留水層は、前記ベントナイト混合土層の上表面に設けた埋戻し土砂層と、前記埋戻し土砂層の上表面に設けた砕石層と、該滞留水層に滞留した水の水位を検知する検知手段と、を有し、
前記検知手段によって水位が低下したことを検知したとき、該滞留水層に水を補充し得るように構成したことを特徴とする請求項１又は請求項２に記載した汚染土壌から発生した気体の封止構造。
【発明の詳細な説明】
【技術分野】
【０００１】
本発明は、地中に存在する揮発性の汚染物質が大気に拡散することがないように、土壌中に封止するための構造に関するものである。
【背景技術】
【０００２】
例えば、工場の跡地では、長年にわたる操業に伴って生じた汚染された土壌が地中に存在することがある。このような土地では、土壌の汚染物質が地下水に溶出して周囲に拡散する可能性がある。このため、汚染物質の地下水を介した拡散を防ぐことを目的として、汚染土壌の周囲に遮水シート等を配置して良質な土壌から隔離することが行われている。
【０００３】
しかし、遮水シートによって汚染土壌を隔離した場合でも、汚染物質が地下水を介して拡散することを完全に防ぐことが困難であるため、特許文献１に記載された方法が提案されている。この方法は、汚染土壌の周囲に遮水壁を構築すると共に、汚染土壌の上部に、砂或いは砂礫からなる遮断層と、ベントナイト混合土を用いた粘性土からなる遮水層と、砂或いは砂礫からなる排水層とを順に堆積した複合遮水層を設け、この複合遮水層の上部に良質土からなる表面層を設けるものである。
【０００４】
特許文献１に記載された汚染土壌の地中封じ込め方法では、汚染土壌の全周を遮水層によって遮水することができ、且つ複合遮水層下部からの汚染物質の毛管上昇を確実に防ぐことができる。また、降雨や散水に伴って地上から浸透した水は、遮水層の上部に設けた排水層に集められ、遮水壁を貫通して運河等に排出される。このため、遮水効果を長期にわたってより確実に保持することができる。
【先行技術文献】
【特許文献】
【０００５】
【特許文献１】特開２００３−００１２１２号公報
【発明の概要】
【発明が解決しようとする課題】
【０００６】
土壌汚染対策法で基準が定められている汚染物質のうち、ベンゼン等の揮発性物質が気化した場合、気化に伴って圧力が上昇した気体が土壌の間隙を透過して大気中に拡散する可能性がある。
【０００７】
特許文献１に記載された方法の場合、複合遮水層下部からの汚染物質の毛管上昇を防ぐことができる。しかし、この方法は、気化した汚染物質を含む気体の拡散を防ぐことを期待するものではない。即ち、特許文献１には、ベントナイト混合土を用いた粘性土からなる遮水層が遮水性能を有することが記載されるものの、気体の透過を遮断し得ることの記載はなく、このことを示唆する記載もない。
【０００８】
本発明の目的は、地中に存在する汚染土壌から発生した気体が地表に噴出することがないよう、汚染を封じ込めることができる気体の封止構造を提供することにある。
【課題を解決するための手段】
【０００９】
本件発明者は、地中に存在する汚染土壌から汚染空気が発生し、地表に噴出する機構について考察した。この結果、地中に存在する土壌を汚染した汚染物質から直接、又は一旦地下水に溶出して汚染水が発生し、この汚染水に溶出した汚染物質が気化することで、気化に伴って生じる気化分圧が汚染水の上部にある土壌に作用し、圧力差によって気体が拡散する。このため、地中にある汚染土壌よりも上部に、透気性能が極めて低い層を形成することによって、該層の下側に汚染土壌から発生した気体の気化分圧が作用した場合でも、地表への汚染空気の拡散を防ぐことができるとの結論を得た。
【００１０】
本件発明者は、ベントナイトが長年をかけて生成された天然鉱物であり、通常のビニールやゴムに比べて経年による劣化を受けにくい特性をもつこと、並びにベントナイト混合土が極めて遮水性の高い層を形成することができることから、透気性能の極めて低い層としてもベントナイト混合土層を利用することが可能か否かについて検討した。具体的には、ベントナイト混合土層を利用して汚染土壌から発生した気体を少なくとも１００年間、該土壌中に封止することが可能か否かについて検討した。
【００１１】
上記検討を行うために、ベントナイト混合土層を気体が透過する際の透気係数を算出し、得られた透気係数に基づいて、汚染土壌から発生した気体を少なくとも１００年間、該土壌中に封止することが可能なベントナイト混合土層の構成を設定した。
【００１２】
このため、本件発明者は、先ず、ベントナイト混合土層の透気係数を算出した。透気係数を算出するために、後述するように、予め設定された寸法を持つモールドにベントナイト混合土を詰め、高さ方向の一方側の面に予め設定された圧力を持つ窒素ガスで加圧し、他方側の面に透気した窒素ガスの量を計測した。そして、この計測の結果から、ベントナイト混合土からなる層の透気係数（気体が単位時間当たりベントナイト混合土層を通過する距離：ｃｍ／ｓｅｃ）を算出した。
【００１３】
上記の如くして算出した透気係数に基づいて検討したところ、ベントナイト混合土層に存在する空隙をなくすことで透気係数を低下させ得ること、即ち、気体が通過し難くなることが判明した。そして、低下させた透気係数に基づいてベントナイト混合土層の厚さを設定することで、汚染土壌から気化した気体を例えば１００年間ベントナイト混合土層以深に封止することができることが判明した。
【００１４】
また、本件発明者等は、ベントナイト混合土層に空隙が形成（不飽和土）されていた場合、汚染物質が気化した気体を完全に封止することができるか否かについての実験を行なった。この結果、空隙が生じているベントナイト混合土層では、長期間にわたって略完全に気体を封止することは困難であるとの結論を得た。
【００１５】
更に、ベントナイト混合土層を利用して気体を封止するために必要な条件を求める実験を重ねたところ、ベントナイト混合土層に形成される空隙をなくす（飽和土）ことによって、長期間にわたって略完全に気体を封止できるとの結論を得た。特に、ベントナイト混合土層に水を供給することによって、供給された水が空隙に浸透してベントナイトを膨潤させることで、空隙をなくして飽和させることができることが判明した。
【００１６】
従って、上記課題を解決するための気体の封止構造は、周囲が不透水層に達した遮水壁によって囲まれている汚染土壌から発生した気体を土壌中に封止するための封止構造であって、汚染土壌の上部に設けたベントナイト混合土層と、前記ベントナイト混合土層の上部に設けられ水を滞留させた滞留水層と、前記滞留水層の上部に設けた非汚染土壌層と、を積層して構成され、前記滞留水層に滞留した水がベントナイト混合土層に浸透して該ベントナイト混合土層に存在する空隙を封鎖することで、該ベントナイト混合土層の透気係数を低下させて気体を封止することを特徴とするものである。
【００１７】
上記気体の封止構造に於いて、前記ベントナイト混合土層は、ベントナイトと礫砂の混合物を締固めて構成されていることが好ましい。
【００１８】
また、上記何れかの気体の封止構造に於いて、前記滞留水層は、前記ベントナイト混合土層の上表面に設けた埋戻し土砂層と、前記埋戻し土砂層の上表面に設けた砕石層と、該滞留水層に滞留した水の水位を検知する検知手段と、を有し、前記検知手段によって水位が低下したことを検知したとき、該滞留水層に水を補充し得るように構成することが好ましい。
【発明の効果】
【００１９】
本発明に係る気体の封止構造（以下、単に「封止構造」という）では、汚染土壌から発生した気体をベントナイト混合土層以深の土壌中に封止することができる。
【００２０】
即ち、汚染土壌の上部に設けたベントナイト混合土層の更に上部に滞留水層を設けたので、施工時にベントナイト混合土層に空隙が生じた不飽和土であっても、この空隙に水を供給して空隙のない飽和土とすることができる。このため、ベントナイト混合土層の透気係数が低下し、汚染土壌で発生した気体がベントナイト混合土層を透気して地表面に拡散することがなく、ベントナイト混合土層以深の土壌中に封止することができる。
【００２１】
また、ベントナイト混合土層をベントナイトと礫砂との混合物を締固めて構成することで、密度を向上させて所定の透水係数並びに透気係数を確保することができる。
【００２２】
また、ベントナイト混合土層の上部に設けた滞留水層の水位を検知手段で検知し、水位が低下したときに水を補充することで、ベントナイト混合土の飽和度を保持することができる。特に、ベントナイト混合土層の上部に滞留水層を設けることで、ベントナイト混合土層の面積の大小に関わらず、全面にわたって一様に水を供給することが可能となり、飽和度にばらつきが生じることがない。
【図面の簡単な説明】
【００２３】
【図１】気体の封止構造を説明する模式図である。
【図２】滞留水層の水位の監視及び水の補充を行う例を説明する図である。
【図３】透気実験を行う装置の説明図である。
【発明を実施するための形態】
【００２４】
以下、本発明に係る汚染土壌から生じた気体の封止構造について説明する。本発明に係る気体の封止構造は、周囲が遮水壁によって囲まれた汚染土壌の上部にベントナイト混合土層を敷設し、このベントナイト混合土層に水を浸透させて該ベントナイト混合土層に存在する空隙を封鎖する（飽和させる）ことで、透気係数を低下させて気体を封止するものである。
【００２５】
ベントナイト混合土層は、粉末状のベントナイトと、日本統一土質分類の簡易分類名に定義される礫または砂（以下「礫砂」という）とを混合させて構成されている。ベントナイトの礫砂に対する配合率は特に限定するものではなく、後述するように、汚染土壌から発生した気体を所望の期間封止するのに適した透気係数を発揮し得る配合率であれば良い。特に、ベントナイトの配合率を高くすると透気係数を小さくし得るものの、材料費が上昇する傾向がある。
【００２６】
汚染土壌の上部に敷設されたベントナイト混合土に空隙が存在する場合、この空隙にベントナイト混合土層の上部に設けた滞留水層の水が浸透することで封止することが可能である。即ち、ベントナイト混合土層の空隙を飽和させることが可能となる。従って、敷設されたベントナイト混合土層に空隙が存在しても、この空隙を水によって飽和させることで、飽和土からなる層としての機能を発揮させることが可能となる。
【００２７】
特に、敷設されたベントナイト混合土層を締固めることによって、該ベントナイト混合土層に於ける空隙率を低下させることが可能となり、締固めせずに敷設したベントナイト混合土層と比較して密度が向上し、透水係数・透気係数がより低下する。このとき、敷設されたベントナイト混合土層を締固める際の工法は限定するものではなく、一般的なローラーや振動ローラー或いはランマー等によって転圧することで良い。
【００２８】
ベントナイトは水と反応して膨潤して隙間を塞ぐ自己修復性を有する。このため、敷設されたベントナイト混合土層を締固める際に或いは地震等に起因してベントナイト混合土層にひびが生じた場合でも、このひびに滞留水層の水が浸透し、ベントナイトが膨潤してひびを封鎖することが可能である。
【００２９】
敷設されたベントナイト混合土層の上部に形成された滞留水層は、ベントナイト混合土層に対して継続して水を供給する機能を有するため、滞留水層を常に適度な水位に保持することが必要である。滞留水層の水位を検知する検知手段は限定するものではなく、電気的な信号を発生するセンサを確保すべき水位に対応させて埋設したものであって良く、地上から滞留水層に向けて設けた穴にフロートを挿入して検出するものであっても良い。
【００３０】
更に、検知手段としては、ベントナイト混合土層を縦方向に貫通させて汚染土壌に至るマンホールを設置し、このマンホールに於ける滞留水層と対応する深さの側壁に窓を設けて目視により、或いはセンサによって確認することでも良い。このようなマンホールを設置した場合には、マンホールの側壁に於ける深さ方向に各種センサ（例えば汚染物質を検知するためのセンサ）を設けることで、汚染土壌の実態、及び汚染土壌周囲の地下水の実態を認識することも可能となり有利である。
【００３１】
検知手段によって滞留水層の水位が低下したときに該滞留水層に水を補充する方法については限定するものではなく、例えば地表面から滞留水層に届く桝を設けておき、この桝に水を供給することで、滞留水層に給水し得るようにしても良い。また、地表面が舗装されていないような場合には、該地表面に散水して滞留水層に浸透させることでも良い。
【００３２】
本実施例に係る気体の封止構造を説明するのに先立って、透気係数を算出する方法について説明する。この方法は、図３に示す装置を利用してサンプル毎の単位時間当たりの透気量を計測し、計測した透気量に基づいて透気係数を算出するものである。
【００３３】
図３に示す装置は、ベントナイト混合土のサンプルを詰め込むモールド１と、モールド１の一方側から窒素ガスを供給するガス供給部２と、モールド１の他方側に透気した窒素ガスを集める捕集部３と、を有して構成されている。
【００３４】
モールド１はサンプルの収容部１ａと、収容部１ａを密閉すると共に供給された窒素ガスの圧力に対抗するフランジ１ｂとによって構成されている。本実施例では、収容部１ａは高さが５ｃｍ、直径が５ｃｍ（透気面積：１９．６２５ｃｍ２）の円筒状に形成されている。
【００３５】
ガス供給部２は窒素ガスを充填したボンベ２ａと、窒素ガスを設定された圧力で供給するための調整器２ｂとによって構成されており、供給圧力は圧力計２ｃによって監視し得るように構成されている。また、捕集部３は水槽３ａとメスシリンダー３ｂとによって構成されており、予め設定された時間内に捕集した窒素ガスの量を計測し得るように構成されている。
【００３６】
透気係数を算出するのに先立って、粉末状のベントナイト（クニゲルＶ１（登録商標））と、礫砂として稲城砂と、を混合してベントナイト混合土を調製し、このベントナイト混合土からなる厚さ５０ｃｍの層としたとき、水がこの層を通過するのに年数が１００年以上となる透水係数（ｃｍ／ｓｅｃ）と、この条件を満足し得る配合率と締固め度を調査した。この調査は、上部に設けた滞留水層に滞留した水がベントナイト混合土層を通過するのに１００年以上の年数が必要である、とすることで滞留水層からベントナイト混合土層へ水が長期にわたり緩やかに供給されることを示し、該ベントナイト混合土層の滞留水による飽和度の確保を確実なものとするために行うのである。
【００３７】
このため、稲城砂に対するクニゲルＶ１（登録商標）の配合率（以下同じ）を１５％、２０％、２５％、３０％、３５％とし、締固め度を８５％、９０％、９２％、９５％としたベントナイト混合土を用意して透水係数を測定する実験を行った。この実験は、図３に示すモールド１と同じモールドを用い、上流側に蒸留水を収容した加圧タンクを接続すると共に下流側に採水容器を接続した装置を用いた。そして、モールドに上記した何れかの条件に調製したベントナイト混合土を詰め込んで加圧タンクを用いて加圧した蒸留水の透水量を計測して透水係数を算出した。
【００３８】
算出した透水係数をダルシーの法則に適用してベントナイト混合土層の厚さを５０ｃｍとしたとき、水がこのベントナイト混合土層を通過するのに要する年数を算出した。この結果、水が通過するのに１００年以上の年数を必要とするベントナイト混合土は、締固め度が９２％の場合、配合率が１５％以上であれば良いことが判明した。
【００３９】
例えば、配合率が１５％、締固め度が９２％のベントナイト混合土の透水係数は２．４８×１０−９ｃｍ／ｓｅｃであり、厚さ５０ｃｍの層としたとき水の通過に要する年数は約６３９年となり、上記条件を満足する。
【００４０】
また、配合率が２５％、締固め度が９２％のベントナイト混合土の透水係数は５．５６×１０−１０ｃｍ／ｓｅｃであり、厚さ５０ｃｍの層としたとき水の通過に要する年数は約２８５２年となり上記条件を満足する。
【００４１】
また、配合率が３０％、締固め度が９２％のベントナイト混合土の透水係数は４．１３×１０−１０ｃｍ／ｓｅｃであり、厚さ５０ｃｍの層としたとき水の通過に要する年数は約３８３９年となり上記条件を満足する。
【００４２】
この結果から、配合率を高くするのに従って透水係数は低下するが、低下率は徐々に小さくなるといえる。しかし、配合率をある値よりも高くしても透水係数の低下に大きく寄与することはなく、ベントナイトにかかる材料費が上昇することとなり、経済的な問題が生じる虞がある。また、締固め度を高くするのに従って透水係数は低下する。しかし、配合率が高くなると締固め性は低下するため、ローラーや振動ローラー或いはランマー等による転圧を入念に行うことが必要となり、この結果施工費が上昇する虞がある。
【００４３】
次に、図３に示す装置を利用して透気係数を算出する実験を行った。この実験は、ベントナイト混合土の稲城砂に対するクニゲルＶ１（登録商標）の配合率を１５％（サンプル１）、２０％（サンプル２）、２５％（サンプル３）、３０％（サンプル４）、３５％（サンプル５）として設定し、各サンプルの締固め度を９２％とした。更に、各サンプル１〜５を夫々、空隙を有する不飽和土と、空隙に水を含浸させることによって飽和させた飽和土とした。
【００４４】
不飽和土に対しては、０．０１ＭＰａの圧力に設定した窒素ガスを作用させて透気量を計測して透気係数を算出した。また、飽和土に対しては、含浸させた水を排出（破過）するまで圧力を徐々に上昇させた窒素ガスを作用させ、破過したときの圧力（破過圧力）を測定すると共に、破過した状態に於ける透気量を計測して透気係数を算出した。そして、算出した透気係数に基づいて、ベントナイト混合土層を厚さ５０ｃｍとしたときに通過に要する年数（通過年数）を計算した。
【００４５】
サンプル１の結果について説明する。不飽和土の透気係数は１．３８×１０−６ｃｍ／ｓｅｃであり、通過年数は約１．１年であった。また、破過圧力は０．０３ＭＰａで破過後の透気係数は３．７２×１０−８ｃｍ／ｓｅｃであり、通過年数は約４２．６年であった。
【００４６】
サンプル２の結果について説明する。不飽和土の透気係数は１．０２×１０−６ｃｍ／ｓｅｃであり、通過年数は約１．６年であった。また、破過圧力は０．０４ＭＰａで破過後の透気係数は６．２５×１０−９ｃｍ／ｓｅｃであり、通過年数は約２５３．７年であった。
【００４７】
サンプル３の結果について説明する。不飽和土の透気係数は８．７４×１０−７ｃｍ／ｓｅｃであり、通過年数は約１．８年であった。また、破過圧力は０．０４ＭＰａで破過後の透気係数は４．２１×１０−９ｃｍ／ｓｅｃであり、通過年数は約３７６．６年であった。
【００４８】
サンプル４の結果について説明する。不飽和土の透気係数は４．８６×１０−７ｃｍ／ｓｅｃであり、通過年数は約３．３年であった。また、破過圧力は０．０６ＭＰａで破過後の透気係数は１．８２×１０−９ｃｍ／ｓｅｃであり、通過年数は約８７１．１年であった。
【００４９】
サンプル５の結果について説明する。不飽和土の透気係数は４．１０×１０−７ｃｍ／ｓｅｃであり、通過年数は約３．９年であった。また、破過圧力は０．１６ＭＰａで破過後の透気係数は１．８０×１０−９ｃｍ／ｓｅｃであり、通過年数は約８８０．８年であった。
【００５０】
以上の結果から、何れのサンプルであっても、ベントナイト混合土層が不飽和土では、１００年の長期にわたって気体の透過を防ぐことは不可能であるといえる。
【００５１】
ベントナイト混合土層が飽和土であっても、サンプル１の条件では、１００年の長期にわたって気体の透過を防ぐことは不可能である。また、サンプル２〜５で且つベントナイト混合土層が飽和している条件では、１００年の長期にわたって気体の透過を防ぐことが可能であるといえる。
【００５２】
更に、サンプル１の場合、破過圧力が０．０３ＭＰａであった。このため、汚染土壌から気化した気体の圧力が０．０３ＭＰａよりも低ければ、ベントナイト混合土層が破過することがない。従って、汚染土壌から気化した気体の圧力によっては、サンプル１の条件、即ち、稲城砂に対するクニゲルＶ１（登録商標）の配合率が１５％で締固め度が９２％のベントナイト混合土層であっても、気体の透過を長期間にわたって防ぐことが可能であるといえる。
【００５３】
上記の結果、本実施例に係る気体の封止構造は、図１に示すように、汚染土壌１０の周囲に不透水層に達した遮水壁１１が形成されており、汚染土壌１０の上部にはベントナイト混合土層１２が設けられている。このベントナイト混合土層１２の上部には滞留水層１３が設けられており、更に上部には非汚染土壌層１４が設けられている。
【００５４】
ベントナイト混合土層１２は、粉末状のベントナイトと、礫砂と、を混合（本実施例では配合率３０％）させて構成されている。このベントナイト混合土層１２は、汚染土壌１０の上部に略５０ｃｍの厚さを持って敷設されており、図示しないローラー、振動ローラー又はランマー等によって転圧されることで、予め設定された締固め度（本実施例では９０％）で締固めされている。
【００５５】
滞留水層１３は滞留した水をベントナイト混合土層１２に供給する機能を有しており、常に一定以上の水位を保持し得るようにしている。このため、滞留水層１３は砕石からなる層として構成されると共に、ベントナイト混合土層１２との間、及び非汚染土壌層１４との間に比較的粒径の大きい礫砂からなる埋戻し土砂層１５が設けられている。そして、この埋戻し土砂層１５を設けることにより、非汚染土壌層１４の土砂が滞留水層１３に入り込むことを防ぐと共に、ベントナイト混合土層１２と混じることを防いでいる。
【００５６】
非汚染土壌層１４は単に滞留水層１３の上部に存在すれば良いものではなく、ベントナイト混合土層１２の体積を拘束する機能を有している。即ち、ベントナイト混合土層１２に滞留水層１３の水が浸透することでベントナイトが膨潤する。このとき、ベントナイトが自由に膨潤した場合、ベントナイト混合土層１２に生じた空隙を塞ぐことが不可能となり、結果として飽和度が低下することとなる。このため、非汚染土壌層１４の荷重によってベントナイト混合土層１２の体積を拘束することで、該ベントナイト混合土層１２の飽和度を確保することが可能となる。
【００５７】
滞留水層１３には水位を検出する検知手段を構成する水位センサ１６が配置されている。水位センサ１６の構造は限定するものではなく、滞留水層１３に於ける水位を検知することが可能なものであれば良い。本実施例では、水の存在を電気的に検知し得るセンサを用いている。そして、滞留水層１３に設定された最低水位を検知して信号を発生し得るように構成されている。
【００５８】
また、滞留水層１３には該滞留水層１３に水を供給する給水部材１７が配置されている。給水部材１７は滞留水層１３に水を供給し得るものであれば良く、上水道を直接利用し、或いはタンクに蓄えた水をポンプを利用して供給し得るように構成されていれば良い。本実施例では、雨水をタンクに貯留してポンプを利用して給水し得るように構成している。
【００５９】
更に、ベントナイト混合土層１２と汚染土壌１０との間に、砕石層１８ａと埋戻し土砂層１８ｂからなる分離層１８を設けることが好ましい。この分離層１８を設けることで、ベントナイト混合土層１２と汚染土壌１０とを明確に分離することが可能となる。
【００６０】
上記の如く構成された気体の封止構造では、ベントナイト混合土層１２は常に滞留水層１３から水の供給を受けて飽和状態にある。このため、汚染土壌１０の汚染物質が気化した気体の気化分圧がベントナイト混合土層１２の下側に作用した場合でも、該ベントナイト混合土層１２が飽和状態を保持し或いは破過した場合でも、数百年にわたって気体の通過を防ぐことが可能である。
【００６１】
次に検知手段の他の例について図２により説明する。尚、この例であっても、土壌の構成は前述の実施例と同一であるため、同一の番号を付して説明を省略する。
【００６２】
図２に示すように、非汚染土壌層１４、滞留水層１３、ベントナイト混合土層１２を貫通して汚染土壌１０に至るマンホール２０が設置されている。そして、マンホール２０に於ける滞留水層１３と対応する側壁には監視窓２０ａが形成されており、作業員がマンホール２０に入って監視窓２０ａを視認することで、水位を検知し得るように構成されている。しかし、必ずしも作業員の目視によって水位を検知する必要はなく、監視窓２０ａを利用して、或いは該監視窓２０ａの周囲に小孔を形成して、水位を検知するセンサ（図示せず）を設けても良い。尚、水位のみならず、地震等でベントナイト混合土層に大きな破断が生じた場合にも、監視窓２０ａからの目視により直接、或いは滞留水層１３の急激な水位低下を検知することによって間接的に、ベントナイト混合土層の破断を検知することも可能である。
【００６３】
また、マンホール２０の汚染土壌１０と対応する側壁にも監視窓２０ｂが形成されており、該監視窓２０ｂを介して土壌中を視認することで、現状を把握し得るように構成されている。特に、監視窓２０ｂの周囲に小孔を形成し、該小孔を介して地下水に溶出している汚染物質を検知するセンサ（図示せず）を設けることで、ベントナイト混合土層１２よりも下方にある汚染土壌１０周辺の地下水の状態を認識し得るように構成されている。
【００６４】
また、非汚染土壌層１４には滞留水層１３に至る桝２１が配置されており、滞留水層１３の水位が低下したことを検知したとき、該桝２１にホース２２から水を供給することで、滞留水層１３に給水し得るように構成されている。
【００６５】
検知手段を上記の如く構成することで、マンホール２０を利用して作業員が直接土壌中を目視しつつセンサにより滞留水層１３の水位を確認することが可能である。また、ベントナイト混合土層１２よりも深い土壌中に於ける現状を、目視によって且つセンサによって確認することが可能となる。
【産業上の利用可能性】
【００６６】
本発明に係る気体の封止構造では、汚染土壌から気化した気体を長期間にわたって封止することが可能である。
【符号の説明】
【００６７】
１                モールド
１ａ              収容部
１ｂ              フランジ
２                ガス供給部
２ａ              ボンベ
２ｂ              調整器
２ｃ              圧力計
３                捕集部
３ａ              水槽
３ｂ              メスシリンダー
１０              汚染土壌
１１              遮水壁
１２              ベントナイト混合土層
１３              滞留水層
１４              非汚染土壌層
１５              埋戻し土砂層
１６              水位センサ
１７              給水部材
１８              分離層
１８ａ            砕石層
１８ｂ            埋戻し土砂層
２０              マンホール
２０ａ、２０ｂ    監視窓
２１              桝
２２              ホース
【図１】
2016182583.tif 000003
【図２】
2016182583.tif 000004
【図３】
2016182583.tif 000005